(57)【要約】【課題】開き戸の吊元において、戸板の建て付け性を良好にできる開き戸用固定具及び開き戸固定構造を提供すること。【解決手段】開き戸５００の吊元側において、上枠材４００に取り付けられるレール３００に固定され、開き戸５００を構成する戸板５０１を回動自在に位置決めしながら固定する、開き戸用固定具１００であり、レール３００に収容される本体４０と、本体４０に取り付けられているロックキー５０とを有し、本体４０は、第一長孔１６と、ロックキー５０を本体４０に固定する軸部材６０が挿通される第一軸部材挿通孔１７と、を有する基台１０と、戸板５０１の上端に取り付けられているピボット軸体２００が嵌まり込むとともに第一長孔１６にスライド自在に嵌り込むピボット軸受け凹部２３を備え、軸部材６０が挿通される第二長孔２４を有するスライド台２０と、を少なくとも有し、ロックキー５０がピボット軸体２００に係合される。【選択図】図２
2020051085.tif 000002
【特許請求の範囲】
【請求項１】
開き戸の吊元側において、上枠材に取り付けられるレールに固定され、開き戸を構成する戸板を回動自在に位置決めする、開き戸用固定具であって、
前記レールに収容される本体と、
前記本体に取り付けられているロックキーと、を有し、
前記本体は、
第一長孔と、前記ロックキーを前記本体に固定する軸部材が挿通される第一軸部材挿通孔と、を有する基台と、
前記戸板の上端に取り付けられているピボット軸体が嵌まり込むとともに前記第一長孔にスライド自在に嵌り込むピボット軸受け凹部を備え、さらに、前記軸部材が挿通される第二長孔を有する、スライド台と、を少なくとも有しており、
前記ロックキーが前記ピボット軸体に係合されることを特徴とする、開き戸用固定具。
【請求項２】
前記本体は、前記スライド台の上に載置されるロックキー台座をさらに有しており、
前記ロックキー台座は、前記軸部材が挿通される第二軸部材挿通孔を有し、
前記ロックキーが前記軸部材を介して前記ロックキー台座に取り付けられていることを特徴とする、請求項１に記載の開き戸用固定具。
【請求項３】
前記スライド台において、前記ロックキー台座と対向する表面には案内突起が設けられ、
前記ロックキー台座において、前記スライド台と対向する表面には前記案内突起が係合される案内溝が設けられていることを特徴とする、請求項２に記載の開き戸用固定具。
【請求項４】
前記本体に対し、前記ロックキーが回動自在に取り付けられている、もしくは、前記ロックキーが前記レールの長手方向にスライド自在に取り付けられていることを特徴とする、請求項１乃至３のいずれか一項に記載の開き戸用固定具。
【請求項５】
前記軸部材が頭付きボルトにより形成されていることを特徴とする、請求項１乃至４のいずれか一項に記載の開き戸用固定具。
【請求項６】
開き戸の吊元側において、上枠材に取り付けられているレールに対して、開き戸を構成する戸板を回動自在に位置決めする、開き戸固定構造であって、
前記レールに開き戸用固定具が収容され、該開き戸用固定具は該レールを介して前記上枠材に固定されており、
前記開き戸用固定具は、本体と、該本体に取り付けられているロックキーと、を有し、
前記本体は、前記レール側から順に、基台と、スライド台と、が少なくとも積層され、
前記基台は、第一長孔と、前記ロックキーを前記本体に固定する軸部材が挿通される第一軸部材挿通孔と、を有し、
前記スライド台は、前記戸板の上端に取り付けられているピボット軸体が嵌まり込むとともに前記第一長孔にスライド自在に嵌り込むピボット軸受け凹部と、前記軸部材が挿通される第二長孔と、を有し、
少なくとも、前記基台に対して前記スライド台がスライドされた状態で、前記ロックキーが前記ピボット軸体に係合され、前記軸部材が締め付けられることにより該ロックキーによる該ピボット軸体の係合が保持されていることを特徴とする、開き戸固定構造。
【発明の詳細な説明】
【技術分野】
【０００１】
本発明は、開き戸用固定具及び開き戸固定構造に関する。
【背景技術】
【０００２】
建物の扉には、引き戸（引き違い戸、片引き戸、片引き込み戸）や開き戸（片開き戸、親子開き戸）、折れ戸（片折れ戸、両折れ戸）など、様々な種類の扉が存在する。引き戸と異なり、開き戸と折れ戸は、吊元側において、ピボットヒンジ等を中心に開き戸や折れ戸を構成する戸板が回動する共通の構成を有している。
【０００３】
ここで、開き戸の吊元において、扉の端部を固定するピボットヒンジに関し、扉から上方に突出する支軸をベースプレートのベース切欠溝に挿入し、ベースプレートのビスに回動自在に取り付けられている軸止めプレートを回動させて切欠溝を支軸に係合させた後、回動軸であるビスとは異なる位置で固定具によりベースプレートと軸止めプレートを固定するピボットヒンジが提案されている（例えば、特許文献１参照）。
【先行技術文献】
【特許文献】
【０００４】
【特許文献１】実用新案登録第２５７３５７３号公報
【発明の概要】
【発明が解決しようとする課題】
【０００５】
しかしながら、特許文献１に記載のピボットヒンジのように、ベースプレートのベース切欠溝に支軸（ピボット軸体に相当）を嵌め込み、次に軸止めプレートの軸止め切欠溝を支軸に嵌め込むようにしてベースプレートと軸止めプレートを複数のビスで留めて固定する方法では、戸板の建て付け性が良好でない。
【０００６】
本発明は上記する問題に鑑みてなされたものであり、開き戸の吊元において、戸板の建て付け性を良好にできる開き戸用固定具及び開き戸固定構造を提供することを目的としている。
【課題を解決するための手段】
【０００７】
前記目的を達成すべく、本発明による開き戸用固定具の一態様は、
開き戸の吊元側において、上枠材に取り付けられるレールに固定され、開き戸を構成する戸板を回動自在に位置決めする、開き戸用固定具であって、
前記レールに収容される本体と、
前記本体に取り付けられているロックキーと、を有し、
前記本体は、
第一長孔と、前記ロックキーを前記本体に固定する軸部材が挿通される第一軸部材挿通孔と、を有する基台と、
前記戸板の上端に取り付けられているピボット軸体が嵌まり込むとともに前記第一長孔にスライド自在に嵌り込むピボット軸受け凹部を備え、さらに、前記軸部材が挿通される第二長孔を有する、スライド台と、を少なくとも有しており、
前記ロックキーが前記ピボット軸体に係合されることを特徴とする。
【０００８】
本態様によれば、開き戸用固定具が、基台と、基台に対してスライド自在でピボット軸受け凹部を備えたスライド台と、により形成される本体を有することにより、戸板を斜めにしてピボット軸体をピボット軸受け凹部に嵌め込む際に、スライド台がスライドすることにより、ピボット軸体が嵌まり込み易い位置にピボット軸受け凹部が位置決めされる。さらに、ピボット軸体がピボット軸受け凹部に嵌まり込んだ状態において、レールに対する本体の位置を変えることなく、第一長孔等の範囲内で戸板の建て付け調整ができる。そのため、良好な建て付け性の下で開き戸用固定具に対して開き戸の戸板を取り付けることが可能になる。ここで、以下の説明において「開き戸」とは、一般的な開き戸（片開き戸、親子開き戸）の他、折れ戸（片折れ戸、両折れ戸）を含むものとするが、本発明の固定具が適用される戸は典型的には折れ戸である。本態様は、吊元側において戸板を回動自在に固定する固定具であるが、回動する戸板に関しては既述するように開き戸も折れ戸も共通の構成を有していることから、開き戸と折れ戸をまとめて開き戸として説明することにする。
【０００９】
本態様の開き戸用固定具が適用される開き戸は、扉用の開口の周囲に取り付けられている開口枠のうち、上方の上枠材に取り付けられるレールの吊元側に固定される。例えば、レールの吊元側の端部から開き戸用固定具が嵌め込まれ、レールに対する所定位置において、開き戸用固定具がレールに対して、もしくはレールを介して上枠材に対して固定される。尚、片開き戸等の場合は、吊元側においてピボットヒンジを構成する、ピボット軸受け凹部と戸板の上端に取り付けられているピボット軸体とを中心に戸板が回動して扉が開閉される。一方、折れ戸の場合は、例えば二枚の戸板が丁番にて相対的に回動自在に取り付けられ、吊元側の戸板が、ピボットヒンジを中心に回動し、戸先側の戸板がその上方に取り付けられている走行ランナーをレールに案内されながら左右にスライドすることにより扉が開閉される。
【００１０】
また、本発明による開き戸用固定具の他の態様において、前記本体は、前記スライド台の上に載置されるロックキー台座をさらに有しており、
前記ロックキー台座は、前記軸部材が挿通される第二軸部材挿通孔を有し、
前記ロックキーが前記軸部材を介して前記ロックキー台座に取り付けられていることを特徴とする。
【００１１】
本態様によれば、スライド台に対して、ロックキー台座を介してロックキーが取り付けられることにより、ロックキー台座にて高さが所望に調整された位置にロックキーを配設することができる。
【００１２】
また、本発明による開き戸用固定具の他の態様は、前記スライド台において、前記ロックキー台座と対向する表面には案内突起が設けられ、
前記ロックキー台座において、前記スライド台と対向する表面には前記案内突起が係合される案内溝が設けられていることを特徴とする。
【００１３】
本態様によれば、案内突起が案内溝に挿入されて案内されることにより、スライド台に対するロックキー台座の位置決めを図ることができる。
【００１４】
また、本発明による開き戸用固定具の他の態様は、前記本体に対し、前記ロックキーが回動自在に取り付けられている、もしくは、前記ロックキーが前記レールの長手方向にスライド自在に取り付けられていることを特徴とする。
【００１５】
本態様によれば、ロックキーを回動させてピボット軸体に係合させることにより、あるいは、ロックキーをスライドさせてピボット軸体に係合させることにより、ロックキーによるピボット軸体の係合保持（ロック）を図ることができる。吊元側において、戸板はその上下端にピボット軸体が取り付けられており、上方のレールに固定されている開き戸用固定具の有するピボット軸受け凹部に対して、戸板の上端に取り付けられているピボット軸体の上端が嵌まり込む。このようにピボット軸受け凹部に対してピボット軸体の一部が嵌まり込んだ状態においては、回動される前のロックキーは例えばレールの長手方向に直交もしくは傾斜する方向である、例えば室内側に張り出した状態である。ピボット軸受け凹部に対してピボット軸体の上端を嵌まり込ませることにより、原則的には戸板は外れない態様で取付けられる。しなしながら、ピボット軸受け凹部にピボット軸体の上端が嵌まり込んでいるだけでは、例えば地震時に振動を受けた際に戸板が外れる恐れがある。そこで、ロックキーを回動もしくはスライドさせてピボット軸体に係合させ、軸部材を締め付けることにより、ロックキーによるピボット軸体の係合保持（ロック）を図ることができる。
【００１６】
ロックキーを回動させてピボット軸体に係合させる形態に関し、ロックキーを回動させてピボット軸体に係合させた際には、ロックキーはレールに沿う方向に配向しており、従って、ロックキーはレールから例えば室内側に張り出していない。一方、ロックキーを回動させてロックする前の状態においては、ロックキーをレールの長手方向に直交もしくは傾斜させて、例えば室内側に張り出させておくことにより、施工時においてロックキーが未だロックされていないことを作業員が確認することができ、ロックキーのロック忘れを防止することができる。
【００１７】
また、本発明による開き戸用固定具の他の態様は、前記軸部材が頭付きボルトにより形成されていることを特徴とする。
【００１８】
本態様によれば、軸部材が頭付きボルトであることにより、レンチ等の工具にて容易にボルトを締付けることができる。例えば、ロック前の状態で室内側に張り出しているロックキーを、軸部材を中心に回動させて戸板の上端のピボット軸体に係合させた後、戸板の上端とレールの間の隙間にレンチ等の工具を差し込み、頭付きボルトを締め付けることによりロックを完了させることができる。
【００１９】
また、本発明による開き戸固定構造の一態様は、
開き戸の吊元側において、上枠材に取り付けられているレールに対して、開き戸を構成する戸板を回動自在に位置決めする、開き戸固定構造であって、
前記レールに開き戸用固定具が収容され、該開き戸用固定具は該レールを介して前記上枠材に固定されており、
前記開き戸用固定具は、本体と、該本体に取り付けられているロックキーと、を有し、
前記本体は、前記レール側から順に、基台と、スライド台と、が少なくとも積層され、
前記基台は、第一長孔と、前記ロックキーを前記本体に固定する軸部材が挿通される第一軸部材挿通孔と、を有し、
前記スライド台は、前記戸板の上端に取り付けられているピボット軸体が嵌まり込むとともに前記第一長孔にスライド自在に嵌り込むピボット軸受け凹部と、前記軸部材が挿通される第二長孔と、を有し、
少なくとも、前記基台に対して前記スライド台がスライドされた状態で、前記ロックキーが前記ピボット軸体に係合され、前記軸部材が締め付けられることにより該ロックキーによる該ピボット軸体の係合が保持されていることを特徴とする。
【００２０】
本態様によれば、戸板を斜めにしてピボット軸体をピボット軸受け凹部に嵌め込む際に、スライド台がスライドすることにより、ピボット軸体が嵌まり込み易い位置にピボット軸受け凹部が位置決めされるため、良好な建て付け性の下で開き戸用固定具に対して開き戸の戸板を取り付けることができる。
【発明の効果】
【００２１】
以上の説明から理解できるように、本発明の開き戸用固定具及び開き戸固定構造によれば、開き戸の吊元において、戸板の建て付け性を良好にできる。
【図面の簡単な説明】
【００２２】
【図１】実施形態に係る開き戸用固定具の分解斜視図である。
【図２】実施形態に係る開き戸用固定具の組立て斜視図である。
【図３】戸板に取り付けられているピボット軸体が滑りながらピボット軸受け凹部に嵌まり込むことを説明する斜視図である。
【図４】ロックキーによるピボット軸体の係合状態が保持され、実施形態に係る開き戸固定構造が形成されていることを説明する斜視図である。
【図５】変形例に係る開き戸用固定具の斜視図である。
【図６】上枠材に接続されているレールの端部から開き戸用固定具を挿通する前の状態を示す、レールの下方から見た斜視図である。
【図７】図６に続いて、レールの端部に開き戸用固定具が挿通され、開き戸用固定具が固定手段によりレールを介して上枠材に固定される前の状態を示す斜視図である。
【図８】開き戸用固定具とレールに吊元側ピボット軸体と案内ランナー側ピボット軸体を係合する前の状態を示す斜視図である。
【図９】開き戸用固定具とレールに吊元側ピボット軸体と案内ランナー側ピボット軸体が係合され、ロックキーを回動させて吊元側ピボット軸体をロックする前の状態を示す斜視図である。
【図１０】ロックキーを回動させて吊元側ピボット軸体の係合状態が保持され、開き戸固定構造が形成されている状態を示す斜視図である。
【発明を実施するための形態】
【００２３】
以下、本発明の各実施形態に係る開き戸用固定具と開き戸固定構造について、添付の図面を参照しながら説明する。尚、本明細書及び図面において、実質的に同一の構成要素については、同一の符号を付することにより重複した説明を省く場合がある。
【００２４】
［実施形態］
＜開き戸用固定具＞
はじめに、図１及び図２を参照して、実施形態に係る開き戸用固定具について説明する。ここで、図１は、実施形態に係る開き戸用固定具の分解斜視図であり、図２は、実施形態に係る開き戸用固定具の組立て斜視図である。尚、図２に示す開き戸用固定具１００は、開き戸用の開口枠のうち、上枠材に取付けられていて下方に開口を有するレールに対して、図２に示す状態を上下逆転させた姿勢で取り付けられるものである。以下の図１及び図２の説明において使用する「上方」、「上面」等は、図１及び図２に示す状態における上方や上面を意味するものであり、実際のレールに開き戸用固定具１００が取り付けられている状態では上方が下方となり、上面は下面となる。また、図１において、軸部材６０がシーケンシャルに挿通される各孔に一点鎖線の矢印を付しており、同様に、ピボット軸受け凹部２３が第一長孔１６に嵌まることを示す一点鎖線の矢印を付している。
【００２５】
図１に示すように、開き戸用固定具１００は、複数の部材が積層されることにより形成される。積層構造の下方から順に、基台１０と、スライド台２０と、ロックキー台座３０と、により構成される本体４０と、本体４０に対して軸部材６０を回転中心として取り付けられるロックキー５０とを有する。
【００２６】
基台１０は、鋼製プレートが曲げ加工された部材と、この部材の一部に嵌め込まれた樹脂製のブロック体により構成される。鋼製プレートが曲げ加工された部材は、第一水平片１１と、第一水平片１１の一端において曲げ部を介して下方に延出する第一鉛直片１２と、第一水平片１１の他端において曲げ部を介して下方に延出する第二鉛直片１３と、を有する。さらに、第二鉛直片１３から曲げ部を介して水平方向に延出する第二水平片１４と、第二水平片１４から曲げ部を介して上方に延出する第三鉛直片１５と、を有する。図１に示すように、鋼製プレートを曲げ加工してなる部材は、側面視形状が数字の２の線形を有している。第一鉛直片１２の下端と、第二水平片１４の下面は同じ高さレベルにあり、平坦面に対して基台１０を安定した姿勢で載置することができる。
【００２７】
第一水平片１１には、基台１０の長手方向に延出する第一長孔１６が開設され、第一長孔１６から離れた位置に第一軸部材挿通孔１７が開設されている。第一長孔１６は、スライド台２０の有するピボット軸受け凹部２３をスライド自在に嵌め込む長孔である。一方、第一軸部材挿通孔１７にはその内壁面に螺子溝が設けられており、軸部材６０である頭付きボルトのボルトが螺合される挿通孔である。
【００２８】
第一鉛直片１２の前面には、例えばゴム製の案内ランナーストッパー１９が取り付けられており、開き戸用固定具１００がレールに固定され、開き戸の一形態である折れ戸の戸先側の戸板に取り付けられている、案内ランナー側ピボット軸体が当接した際の緩衝材として機能する。
【００２９】
一方、第二鉛直片１３と、第二水平片１４と、第三鉛直片１５とにより形成される窪みには樹脂製の戸板対向ブロック１８が嵌め込まれ、各片と例えば接着剤により接続されている。図示例の戸板対向ブロック１８は、側面視コの字状を呈し、上方の戸板対向片１８ａにはピボット軸体規制溝１８ｂが開設され、下片１８ｃにおいてピボット軸体規制溝１８ｂに対応する位置には固定手段挿通孔１８ｄが開設されている。そして、上方から見た際に、ピボット軸体規制溝１８ｂと固定手段挿通孔１８ｄは連通しており、さらに、第二水平片１４における固定手段挿通孔１８ｄの下方位置にも固定手段用孔１４ａが開設されている。従って、ピボット軸体規制溝１８ｂを介してビス等の固定手段を挿通し、固定手段挿通孔１８ｄ、１４ａを介して、基台１０をレールやレールが固定される上枠材（図示せず）に対して固定手段にて固定することができる。
【００３０】
このように、ピボット軸体規制溝１８ｂは、ビス等の固定手段や固定手段を締める工具の先端が入り込むことのできる開口寸法を有し、かつ、戸板に取り付けられているピボット軸体の先端が入り込むことのできない開口寸法を有することにより、ピボット軸体の挿入を規制する溝として機能する。尚、戸板対向ブロック１８は樹脂製の他、鋼製ブロックであってもよいし、鋼製プレートが曲げ加工された部材と戸板対向ブロック１８が別体でなく、例えば鋼製や硬質の樹脂製で一体成形されてもよい。
【００３１】
また、第二鉛直片１３と、第二水平片１４と、第三鉛直片１５とにより形成される窪みに戸板対向ブロック１８が嵌め込まれた状態において、第三鉛直片１５は戸板対向ブロック１８よりも側方に張り出す張り出し部１５ａを有している。後述するように、レールに対して開き戸用固定具１００をスライドさせて取付ける際に、この張り出し部１５ａにレールの側片が係止されることにより、レールに対する開き戸用固定具１００の位置決めが図られる。
【００３２】
スライド台２０は、鋼製プレートにより形成されて平面視略矩形状を呈するスライド台本体２１を有する。スライド台本体２１には、プレス加工によりすり鉢状のピボット軸受け凹部２３が形成され、ピボット軸受け凹部２３から離れた位置に、案内突起２５と、スライド台本体２１の長手方向に延出する第二長孔２４とを有する。
【００３３】
また、スライド台本体２１の長手方向の端面には半円形状の固定手段用溝２２が開設されている。ピボット軸受け凹部２３は、基台１０の第一長孔１６にスライド自在に嵌め込まれるとともに、戸板に取り付けられているピボット軸体の先端を入り込ませる凹部である。一方、案内突起２５は、ロックキー台座３０の下面に設けられている案内溝３５に入り込み、スライド台２０に対するロックキー台座３０のおよその位置決めを図ることを可能とした突起である。
【００３４】
さらに、第二長孔２４は、軸部材６０が挿通される孔である。第二長孔２４は、ここに軸部材６０が挿通された状態において、基台１０の第一長孔１６内においてスライド台本体２１の有するピボット軸受け凹部２３がスライドするのを可能とするべく、長孔とされている。
【００３５】
固定手段用溝２２は、ピボット軸体規制溝１８ｂや固定手段挿通孔１８ｄとともに、ビス等の固定手段が挿通される挿通孔を形成する。
【００３６】
ロックキー台座３０は、樹脂製の台座であり、その長手方向に直交する断面形状が略Ｔの字状の柱状体である台座本体３１を有する。台座本体３１の中央位置には、台座本体３１を貫通する第二軸部材挿通孔３２が開設されている。また、台座本体３１の上面において、その平面視矩形の一つの対角位置には、第一ストッパー３３と第二ストッパー３４が上方に突出する態様で設けられている。
【００３７】
また、台座本体３１の下面の中央位置には、下面の端部から中央側に延出する案内溝３５が設けられており、スライド台２０の有する案内突起２５が挿入されるようになっている。案内突起２５が案内溝３５に挿入されて案内されることにより、スライド台２０に対する台座本体３１のおよその位置決めが図られる。ロックキー５０が回動されてピボット軸の係合状態をロックした後、このロック姿勢を保持するべく、第二軸部材挿通孔３２と第二長孔２４に軸部材６０が挿通され、第一軸部材挿通孔１７に軸部材６０の先端が捻じ込まれることにより、スライド台２０に対してロックキー台座３０が固定される。尚、ロックキー台座３０は鋼製の台座であってもよい。
【００３８】
ロックキー５０は、鋼製プレートにより形成されているロックキー本体５１を有する。ロックキー本体５１には、ピボット軸受け凹部２３に先端が嵌まり込んでいるピボット軸体に係合するピボット係合溝５２と、ロックキー本体５１がピボット軸体に係合した際にロックキー本体５１のさらなる回動を規制するべく、ロックキー台座３０の第一ストッパー３３に係合する第一ストッパー係合溝５３が設けられている。さらに、ロックキー本体５１の長手方向に延出して軸部材６０が挿通される第三長孔５４が開設されている。挿通される軸部材６０に対して第三長孔５４の長さの範囲内で、ロックキー台座３０に対してロックキー５０がスライドできることから、第一ストッパー係合溝５３の長さもこのロックキー５０のスライド可能長さに対応する長さを有している。
【００３９】
ロックキー５０の有する第三長孔５４に挿通される図示例の軸部材６０は、プラス孔が上面に開設されている頭付きボルトにより形成される。座金を介して第三長孔５４に挿通される頭付きボルト６０は、第二軸部材挿通孔３２、第二長孔２４を介して、基台１０の有する第一軸部材挿通孔１７に螺合されるようになっている。図示する頭付きボルト６０は、プラス孔の孔付きナットを頭部に備えたボルト（六角孔付きボルト）であるが、マイナス孔の六角孔付きボルトであってもよいし、孔のない六角ナットを頭部に備えた六角ボルト等であってもよい。尚、この第一軸部材挿通孔１７に対する頭付きボルト６０の螺合（締め付け）は、ピボット軸受け凹部２３に嵌め込まれたピボット軸体に対してロックキー５０を回動させて係合させ、ロックキー５０によるピボット軸体の係合を保持する際に行われる。
【００４０】
図１に示す各種部材を積層し、ロックキー５０が回動できる程度に軸部材６０を軽く締付けることにより、図２に示す開き戸用固定具１００が形成される。図２において、開き戸用固定具１００は、その長手方向を、開き戸用固定具１００が取り付けられるレール（図示せず）の長手方向であるＬ方向に向けて配設されているものとして示している。図２に示すように、第一長孔１６に対してピボット軸受け凹部２３がスライド自在に嵌め込まれることにより、基台１０に対してスライド台２０がＬ方向に沿うＸ１方向にスライド自在となる。尚、ボット軸体規制溝１８ｂと、固定手段挿通孔１８ｄと、固定手段挿通孔１４ａに対して、ビス等の固定手段（図示せず）がＺ１方向に挿入され、工具を使用してレールやレールが固定される上枠材に対して開き戸用固定具１００が固定される。
【００４１】
また、断面略Ｔの字状のロックキー台座３０とスライド台２０の間に形成される隙間がレール係合部７０となり、左右のレール係合部７０がレールの有する左右の係合突起（図示せず）に係合されることにより、開き戸用固定具１００をレールから係脱させることなく、レールに対してその長手方向であるＬ方向に移動自在に係止させることができる。
【００４２】
軸部材６０を中心にロックキー５０はＸ３方向に回動するが、第一ストッパー３３と第二ストッパー３４により、ロックキー５０の回動範囲は規制され、ロックキー５０が過度に回動することが抑制される。
【００４３】
また、ピボット軸受け凹部２３に嵌め込まれたピボット軸体に対してロックキー５０を回動させて係合させ、ロックキー５０によるピボット軸体の係合状態を保持するに当たり、ロックキー５０の回動軸でもある軸部材６０をＸ４方向に締め付けることにより、ロックキー５０の締付けが行われる。このように、ロックキー５０の回動軸とロックキー５０の締付け手段がともに軸部材６０であることから、手間をかけずにロックキー５０によるピボット軸体のロックを実現することができる。
【００４４】
さらに、ロックキー５０が回動してその長手方向が基台１０やスライド台２０の長手方向に沿う位置にある際には、第三長孔５４に挿通される軸部材６０に対して、第三長孔５４の長さ範囲内でロックキー５０がＬ方向に沿うＸ２方向にスライド自在となる。このように、開き戸用固定具１００を構成する複数の部材が、レールの長手方向であるＬ方向に対して相互にスライド自在に組み付けられていることにより、戸板の建て付けに際して良好な建て付け性が得られる。
【００４５】
具体的には、上板枠に取り付けられているレールの吊元に戸板を固定する際には、戸板の下端のピボット軸体を吊元下方のピボット軸受け（図示せず）に対してレールに沿って斜め方向から嵌め込んだ後、戸板の上端のピボット軸体を、吊元上方のレールに固定されている開き戸用固定具１００の有するピボット軸受け凹部２３に対して同様にレールに沿って斜め方向から嵌め込んでいくのが一般的である。この建て付けに当たり、開き戸用固定具１００を構成する複数の部材が、レールの長手方向にスライドすることにより、ピボット軸体が嵌まり込み易い位置にピボット軸受け凹部２３の位置を調整することができる。そのため、斜め方向からピボット軸体の先端をピボット軸受け凹部２３に容易に導きながら、戸板の建て付けを行うことが可能になる。
【００４６】
＜開き戸固定構造＞
次に、図３及び図４を参照して、実施形態に係る開き戸固定構造について説明する。ここで、図３は、戸板に取り付けられているピボット軸体が滑りながらピボット軸受け凹部に嵌まり込むことを説明する斜視図である。また、図４は、ロックキーによるピボット軸体の係合状態が保持され、実施形態に係る開き戸固定構造が形成されていることを説明する斜視図である。
【００４７】
図３及び図４に示すピボット軸体２００は、開き戸を構成する吊元側の戸板（図示せず）の上端に取り付けられるが、図３及び図４では、このようにピボット軸体２００が取り付けられている開き戸用固定具１００を上下逆転させて示している。
【００４８】
ピボット軸体２００は、鋼製の軸材２０１の先端に樹脂製の係合リング２０２が取り付けられており、軸材２０２の他端は樹脂製の戸板取付け筒２０３の内部に収容され、この内部に収容されている圧縮コイルばね２０４に取り付けられている。従って、例えば図３においてピボット軸体２００を上方から押圧すると、圧縮コイルばね２０４が縮んでピボット軸体２００の全長が短くなる。また、押圧を開放することにより、圧縮コイルばね２０４は元に戻り、ピボット軸体２００は当初の長さとなる。このように、ピボット軸体２００はその長手方向にＹ２方向に伸縮自在となっており、戸板の建て付け時にピボット軸体２００がその長さを所望に変化させることにより、良好な戸板の建て付け性を保証している。また、緩衝機能を有する樹脂製の係合リング２０２が鋼製の軸材２０１の先端に取り付けられていることにより、鋼製のピボット軸受け凹部２３に嵌まり込んだ際に、軸材２０１の先端がピボット軸受け凹部２３を傷付ける恐れがなくなる。さらに、緩衝作用のある樹脂製の戸板取付け筒２０３が戸板に嵌め込まれることにより、戸板取付け筒２０３が戸板の嵌め込み部を傷付ける恐れがなくなる。
【００４９】
本体４０は戸板対向片１８ａを有し、戸板対向片１８ａが、ビス等の固定手段（図示せず）を挿通可能とし、かつピボット軸体２００を挿通不可とする開口寸法及び開口形状のピボット軸体規制溝１８ｂを備えている。そのため、戸板の上端のピボット軸体２００の先端をピボット軸体規制溝１８ｂに沿ってＹ１方向に滑らせた際に、ピボット軸体２００の先端を固定手段挿通孔１４ａに入り込ませることなく、ピボット軸受け凹部２３にスムーズに嵌まり込ませることができる。従って、上記するように、戸板の上端から突出するピボット軸体２００の先端を斜め方向からピボット軸受け凹部２３に嵌め込もうとした際に、ピボット軸体規制溝１８ｂに沿ってピボット軸体２００の先端をピボット軸受け凹部２３に導くことができ、このことによっても、良好な戸板の建て付け性が保証される。
【００５０】
ピボット軸受け凹部２３に対してピボット軸体２００の上端を嵌まり込ませることにより、原則的には戸板は外れない態様で取付けられる。しなしながら、ピボット軸受け凹部２３にピボット軸体２００の上端が嵌まり込んでいるだけでは、例えば地震時に振動を受けた際に戸板が外れる恐れがある。そこで、図４に示すように、ロックキー５０をＸ３方向に回動させてピボット軸体２００に係合させ、軸部材６０をＸ４方向に回転させて締め付けることにより、ロックキー５０によるピボット軸体２００の係合状態の保持（ロック）を図ることができる。
【００５１】
尚、図示例では、軸部材６０を締付ける際に回転させる方向（時計周り）と、ロックキー５０がピボット軸体２００に係合する方向が同一方向であることから、軸部材６０を締付けの際に回転させることに応じて、ロックキー５０がさらに回動したとしてもロックキー５０のピボット軸体２００に対する係合姿勢は保持される。これに対して、軸部材を締付ける際に回転させる方向とロックキーがピボット軸体に係合する方向が異なる場合には、軸部材を回転させた際にロックキーがピボット軸体から離れる方向に回動して係合が外れる恐れがある。そこで、このような場合に備えて、ロックキーがピボット軸体に係合された際に双方の係合姿勢を保持するべく、相互に係合される保持突起と保持溝（いずれも図示せず）のいずれか一方をロックキーに設け、いずれか他方を本体に設けておくのが好ましい。
【００５２】
＜開き戸用固定具の変形例＞
次に、図５を参照して、開き戸用固定具の変形例について説明する。ここで、図５は、変形例に係る開き戸用固定具の斜視図である。図５に示す開き戸用固定具１００Ａは、図１に示す基台１０、スライド台２０を共通に備えており、基台１０に対してスライド台２０がスライド自在に積層されている。
【００５３】
開き戸用固定具１００Ａは、側面視Ｌ字状のロックキー台座３０Ａと、ロックキー台座３０Ａに対して一体に接続されているロックキー５０Ａとを有する。ロックキー台座３０Ａとロックキー５０Ａはそれぞれ、ともに相補的な形状の第四長孔３６と第五長孔５５を有している。第四長孔３６と第五長孔５５の上方から軸部材６０が挿通され、軸部材６０は、第二長孔２４を挿通し、第一軸部材挿通孔１７に螺合される（図１等参照）。
【００５４】
ロックキー台座３０Ａとロックキー５０Ａは、それぞれのピボット軸受け凹部２３側の側面において、ともに相補的な平面視半円形のピボット軸体係合溝３７，５６を有する。
【００５５】
ピボット軸受け凹部２３にピボット軸体（図示せず）が嵌まり込んだ状態において、ロックキー台座３０Ａとロックキー５０Ａをともにピボット軸体側にスライドさせ、ピボット軸体係合溝３７，５６をピボット軸体に係合させた状態で軸部材６０を締め込むことにより、開き戸用固定具１００Ａによるピボット軸体の係合状態の保持（ロック）を図ることができる。
【００５６】
＜開き戸固定構造の形成方法＞
次に、図６乃至図１０を参照して、実施形態に係る開き戸固定構造の形成方法について説明する。ここで、図６は、上枠材に接続されているレールの端部から開き戸用固定具を挿通する前の状態を示す、レールの下方から見た斜視図である。また、図７は、図６に続いて、レールの端部に開き戸用固定具が挿通され、開き戸用固定具が固定手段によりレールを介して上枠材に固定される前の状態を示す斜視図である。また、図８は、開き戸用固定具とレールに吊元側ピボット軸体と案内ランナー側ピボット軸体を係合する前の状態を示す斜視図である。また、図９は、開き戸用固定具とレールに吊元側ピボット軸体と案内ランナー側ピボット軸体が係合され、ロックキーを回動させて吊元側ピボット軸体をロックする前の状態を示す斜視図である。さらに、図１０は、ロックキーを回動させて吊元側ピボット軸体の係合状態が保持され、開き戸固定構造が形成されている状態を示す斜視図である。
【００５７】
以下、図６乃至図１０を参照して、開き戸用固定具１００を適用した際の開き戸固定構造の形成方法を説明する。図６乃至図１０において、図示するレール３００の左端を吊元側とし、レール３００に対して紙面の手前側を物入側、紙面の奥側を室内側として説明する。また、図８に示すように、開き戸の一例として折れ戸を例示し、折れ戸の戸先側がレール３００に沿ってスライドするものとする。尚、開き戸には、通常の片開き戸等が適用されてもよい。
【００５８】
図６に示すように、開き戸の開口枠を形成する上枠材４００には、上枠材４００の長手方向であるＬ方向に沿うようにレール３００が複数のビス等（図示せず）により固定されている。レール３００は、天井片３０１と、左右の側片３０２とを有して断面形状が略コの字状を呈している。左右の側片３０２の内側には水平に張り出す係合片３０３が設けられており、下方に開口を有する態様で上枠材４００に対して天井片３０１が固定される。
【００５９】
天井片３０１のうち、開き戸用固定具１００が固定される吊元側には、所定間隔を置いてビス孔３０４が開設されており、開き戸用固定具１００を固定手段を介して上枠材４００に固定するための複数の取り付け位置を形成している。このように、天井片３０１が複数のビス孔３０４を有していることにより、開き戸用固定具１００の取り付け位置を所望に調整することができる。
【００６０】
図６に示すように、開き戸用固定具１００は、左右にあるレール係合部７０をレール３００の左右の係合片３０３に係合させるようにしてＸ５方向に嵌め込まれる。この開き戸用固定具１００のレール３００への嵌め込みに当たり、ロックキー５０をその長手方向に直交する室内側に向けた姿勢として第二ストッパー３４に係止させ、この状態でレール３００への嵌め込みを行う。
【００６１】
図７に示すように、レール３００に対して開き戸用固定具１００をスライドさせ、第三鉛直片１５の左右の張り出し部１５ａにレール３００の左右の側片３０２の端部が係止されることにより、レール３００に対する開き戸用固定具１００の位置決めが図られる。そして、開き戸用固定具１００がレール３００に対して位置決めされた後、ピボット軸体規制溝１８ｂを介し、固定手段挿通孔１８ｄ、１４ａ（図２参照）を介し、さらにレール３００の天井片３０１のビス孔３０４（図６参照）を介して、下方からビス等の固定手段８０を打ち込むことにより、レール３００及び上枠材４００に対して開き戸用固定具１００が固定される。
【００６２】
開き戸用固定具１００がレール３００及び上枠材４００に固定された後、図８に示すように、開き戸用固定具１００及びレール３００に対する、開き戸の一例である折れ戸５００の建て付けを行う。折れ戸５００は、二枚の戸板５０１，５０２が丁番（図示せず）を介して相互に回動自在に組み付けられており、吊元側の戸板５０１の上端には吊元側ピボット軸体２００Ａが取り付けられ、他方の戸板５０２の上端には案内ランナー側ピボット軸体２００Ｂが取り付けられている。折れ戸５００の取り付けに当たり、吊元側下方にあるピボット受け（図示せず）に対して戸板５０１の下端に取り付けられているピボット軸体（図示せず）を嵌め込んだ後、吊元側ピボット軸体２００Ａを開き戸用固定具１００の有するピボット軸受け凹部２３に対して斜め方向から図示するＺ２方向に嵌め込んでいく。このピボット軸受け凹部２３に対する吊元側ピボット軸体２００Ａの嵌め込みに際し、既述するように、ピボット軸受け凹部２３がＸ１方向にスライドしながら、吊元側ピボット軸体２００Ａの先端の入り込みを導きくことにより、戸板５０１の容易な建て付けが実現される。一方、案内ランナー側ピボット軸体２００Ｂの先端はレール３００の左右の係合片３０３の間の開口を介してＺ３方向に挿通され、左右の係合片３０３に対して係合されることにより、図９に示すように、戸板５０１、５０２のピボット軸受け凹部２３とレール３００への取り付けが行われる。
【００６３】
図９に示す状態、すなわち、ロックキー５０が吊元側ピボット軸体２００Ａに係合してロックされていない状態においては、ロックキー５０が室内側に張り出している。そのため、作業員は、未だロックキー５０が吊元側ピボット軸体２００Ａに係合していないことを了解することができる。
【００６４】
図１０に示すように、ロックキー５０を、レール３００の長手方向に沿うＸ２方向にスライドさせながら、さらにＸ３方向に回動させて吊元側ピボット軸体２００Ａに係合させ、軸部材６０をＸ４方向に回転させて締め付けることにより、ロックキー５０による吊元側ピボット軸体２００Ａの係合状態の保持（ロック）を図ることができる。そして、ロックキー５０による吊元側ピボット軸体２００Ａの係合状態の保持により、開き戸用固定具１００による戸板５０１の回動自在な位置決めが図られる。軸部材６０の回転締付けは、工具用のプラス孔が下方に臨んでいることにより、下方から工具を差し込んで容易に行うことができる。また、戸板５０１とレール３００の間に隙間がある場合には、この隙間を介してレンチ等を差し込み、軸部材６０の六角ナットを締め付けることもできる。取り付けられた折れ戸５００において、吊元側の戸板５０１がＸ６方向に回動し、戸板５０１の回動に応じて、戸板５０１に丁番を介して連結されている他方の戸板５０２がレール３００に沿ってＸ７方向にスライドすることにより、折れ戸５００の開閉が行われる。
【００６５】
尚、上記実施形態に挙げた構成等に対し、その他の構成要素が組み合わされるなどした他の実施形態であってもよく、ここで示した構成に本発明が何等限定されるものではない。この点に関しては、本発明の趣旨を逸脱しない範囲で変更することが可能であり、その応用形態に応じて適切に定めることができる。
【符号の説明】
【００６６】
１０：基台、１１：第一水平片、１２：第一鉛直片、１３：第二鉛直片、１４：第二水平片、１４ａ：固定手段挿通孔、１５：第三鉛直片、１６：第一長孔、１７：第一軸部材挿通孔、１８：戸板対向ブロック、１８ａ：戸板対向片、１８ｂ：ピボット軸体規制溝、１９：案内ランナーストッパー、２０：スライド台、２１：スライド台本体、２２：固定手段用溝、２３：ピボット軸受け凹部、２４：第二長孔、２５：案内突起、３０，３０Ａ：ロックキー台座、３１：台座本体、３２：第二軸部材挿通孔、３３：第一ストッパー、３４：第二ストッパー、３５：案内溝、３６：第四長孔、３７：ピボット軸体係合溝、４０：本体、５０，５０Ａ：ロックキー、５１：ロックキー本体、５２：ピボット係合溝、５３：第一ストッパー係合溝、５４：第三長孔、５５：第五長孔、５６：ピボット軸体係合溝、６０：頭付きボルト（軸部材）、７０：レール係合部、８０：固定手段（ビス）、１００，１００Ａ：開き戸用固定具、２００：ピボット軸体、２００Ａ：吊元側ピボット軸体、２００Ｂ：案内ランナー側ピボット軸体、２０１：軸材、２０２：係合リング、２０３：戸板取付け筒、２０４：圧縮コイルばね、３００：レール、３０１：天井片、３０２：側片、３０３：係合片、３０４：ビス孔、４００：上枠材、５００：折れ戸（開き戸）、５０１，５０２：戸板、６００：開き戸固定構造
【図１】
2020051085.tif 000003
【図２】
2020051085.tif 000004
【図３】
2020051085.tif 000005
【図４】
2020051085.tif 000006
【図５】
2020051085.tif 000007
【図６】
2020051085.tif 000008
【図７】
2020051085.tif 000009
【図８】
2020051085.tif 000010
【図９】
2020051085.tif 000011
【図１０】
2020051085.tif 000012